(57)【要約】      （修正有）【課題】マスクのフィット性を向上させるための一層合理的な構築技術を提供する。【解決手段】着用者の少なくとも鼻および口を覆うマスク本体部１１０と、着用者の耳に掛けられるとともに伸長性を備える耳掛け部１３０と、マスク本体部１１０と耳掛け部１３０とを接合する接合部と１２２を有するマスク１００であって、左右方向１００Ｘにおいて、左側接合部１２２Ｌの接合部下側領域１２２３と右側接合部１２２Ｒの接合部下側領域１２２３との間の距離は、左側接合部１２２Ｌの接合部中央領域１２２２と右側接合部１２２Ｒの接合部中央領域１２２２との間の距離よりも短くなるよう構成される【選択図】図５
2018003189.tif 000002
【特許請求の範囲】
【請求項１】
着用者の少なくとも鼻および口を覆うマスク本体部と、着用者の耳に掛けられるとともに伸長性を備える耳掛け部と、前記マスク本体部と前記耳掛け部とを接合する接合部と、を有するマスクであって、
前記マスクは、前記マスクが使用者に着用された場合における鼻と口とにより規定される直線を上下方向と定義し、
前記上下方向は、前記マスクが着用者に着用された場合における口から鼻へと向かう方向を上側、鼻から口へと向かう方向を下側と定義し、
前記マスクは、前記マスクが使用者に着用された場合における左耳と右耳とにより規定される直線を左右方向と定義し、
前記左右方向は、前記マスクが着用者に着用された場合における右耳から左耳へと向かう方向を左側、左耳から右耳へと向かう方向を右側と定義し、
前記マスク本体部は、前記マスクが着用者に着用された場合において、前記マスク本体部と着用者の口とを離間させるための離間空間部を構成し、
前記耳掛け部は、前記マスク本体部の上側領域から延在する上側延在部と、前記マスク本体部の下側領域から延在する下側延在部と、前記マスク本体部に近接して設けられるとともに前記上側延在部と前記下側延在部とを連結する第１連結部と、前記マスク本体部に離間して設けられるとともに前記上側延在部と前記下側延在部とを連結する第２連結部と、を有し、
さらに、前記耳掛け部は、前記上側延在部の内縁部と、前記下側延在部の内縁部と、前記第１連結部の内縁部と、前記第２連結部の内縁部とにより囲まれた空間により形成される耳掛け空間部と、を有し、
前記接合部は、前記第１連結部と前記マスク本体部とを接合するとともに、前記上下方向における中央領域に配置される接合部中央領域と、前記上下方向における下側領域に配置される接合部下側領域と、を有し、
さらに、前記耳掛け部は、前記マスク本体部の左側に設けられる左側耳掛け部と、前記マスク本体部の右側に設けられる右側耳掛け部と、を有し、
前記接合部は、前記左側耳掛け部と前記マスク本体部の左側領域とを接合する左側接合部と、前記右側耳掛け部と前記マスク本体部の右側領域とを接合する右側接合部と、を有し、
前記左右方向において、前記左側接合部の前記接合部下側領域と前記右側接合部の前記接合部下側領域との間の距離は、前記左側接合部の前記接合部中央領域と前記右側接合部の前記接合部中央領域との間の距離よりも短くなるよう構成されることを特徴とするマスク。
【請求項２】
請求項１に記載されたマスクであって、
前記マスクは、前記マスクが使用者に着用された場合における顔と後頭部とにより規定される直線を前後方向と定義し、
前記前後方向は、前記マスクが着用者に着用された場合における後頭部から顔へと向かう方向を前側、顔から後頭部へと向かう方向を後側と定義することを特徴とするマスク。
【請求項３】
請求項２に記載されたマスクであって、
前記接合部下側領域は、前記上側から前記下側へ臨んだ場合、前記後側から前記前側に向かう方向に延在する傾斜領域を有することを特徴とするマスク。
【請求項４】
請求項１〜３のいずれか１項に記載されたマスクであって、
前記下側延在部の内縁における延在方向は下側延在部内縁延在方向を定義し、
前記接合部下側領域と前記接合部中央領域の境界は傾斜境界点を定義し、
前記傾斜境界点を通過する前記上下方向と前記下側延在部内縁延在方向との交点は下側延在部内縁延在交点を定義し、
前記傾斜境界点を通過する前記上下方向と前記マスク本体部の外縁との交点はマスク本体部外縁交点を定義し、
前記下側延在部内縁延在交点と前記マスク本体部外縁交点の間の長さに対して、前記傾斜境界点と前記マスク本体部外縁交点の間の長さは７０パーセント〜１００パーセントの長さとなるよう構成されることを特徴とするマスク。
【請求項５】
請求項４に記載されたマスクであって、
前記傾斜境界点は、前記下側延在部内縁延在方向上に配置されることを特徴とするマスク。
【請求項６】
請求項４に記載されたマスクであって、
前記傾斜境界点は、前記下側延在部内縁延在方向よりも下側に配置されることを特徴とするマスク。
【請求項７】
請求項１〜６のいずれか１項に記載されたマスクであって、
前記接合部は、前記上下方向における上側領域に配置される接合部上側領域を有し、
前記左右方向において、前記左側接合部の前記接合部上側領域と前記右側接合部の前記接合部上側領域との間の距離は、前記左側接合部の前記接合部中央領域と前記右側接合部の前記接合部中央領域との間の距離よりも短くなるよう構成されることを特徴とするマスク。
【請求項８】
請求項１〜７のいずれか１項に記載されたマスクであって、
前記接合部は、前記上下方向に延在する第１接合要素と、前記上下方向に延在する第２接合要素とを有し、
前記第１接合要素と前記第２接合要素は、前記左右方向において並列されていることを特徴とするマスク。
【請求項９】
請求項１〜７のいずれか１項に記載されたマスクであって、
前記接合部は、前記上下方向に延在する単一の接合要素により構成されることを特徴とするマスク。
【請求項１０】
請求項１〜９のいずれか１項に記載されたマスクであって、
前記マスク本体部は、前記耳掛け部よりも伸長率が低いシート体により構成されることを特徴とするマスク。
【請求項１１】
請求項１〜１０のいずれか１項に記載されたマスクであって、
前記第１連結部は、着用者が前記マスクを着用した場合に着用者のほほに当接するほほ当接領域を有することを特徴とするマスク。
【請求項１２】
請求項１〜１１に記載されたマスクであって、
前記マスク本体部は、複数の前記シート体と、前記複数のシート体を接合するシート体接合部とを有し、
着用者によって、前記接合部を中心として前記複数のシート体が展開されることにより前記離間空間部を形成するよう構成されることを特徴とするマスク。
【請求項１３】
請求項１〜１２に記載されたマスクであって、
前記接合部は、前記マスク本体部と前記耳掛け部とを溶着することにより構成されることを特徴とするマスク。
【発明の詳細な説明】
【技術分野】
【０００１】
本発明は、着用者の口および鼻を覆うマスクに関する。
【背景技術】
【０００２】
特開２００８−１９１号公報には、着用者の口および鼻を覆う覆い部と、当該覆い部の外側縁からそれぞれ延出した一対の耳掛け部を備えるマスクが開示されている。覆い部と耳掛け部は、接合部により接合されている。
当該マスクは上述の構成を有することにより、他人に対する病気の伝播や、着用者に対するインフルエンザウィルスや花粉の侵入を抑制することが可能である。
【先行技術文献】
【特許文献】
【０００３】
【特許文献１】特開２００８−１９１号公報
【発明の概要】
【発明が解決しようとする課題】
【０００４】
しかしながら当該マスクは、接合部が上下方向に直線状に延在するよう構成されていた。このため覆い部が着用者の顎の形状に追随して変形しない場合があったため、着用者に対する覆い部の装着性を向上するためにさらなる工夫が要望されていた。
本発明は、このような点に鑑みて創案されたものであり、マスクのフィット性を向上するための一層合理的な構築技術を提供することを目的とする。
【課題を解決するための手段】
【０００５】
上記課題を解決するため本発明に係るマスクは、着用者の少なくとも鼻および口を覆うマスク本体部と、着用者の耳に掛けられるとともに伸長性を備える耳掛け部と、マスク本体部と耳掛け部とを接合する接合部と、を有する。マスク本体部は、ウィルスや花粉が着用者へ侵入することを抑制したり、着用者がウィルスを飛散させることを防止するためのフィルター機能を有し、不織布などにより構成される。また、耳掛け部は伸長性を有する不織布などにより構成される。
マスクは、マスクが使用者に着用された場合における鼻と口とにより規定される直線を上下方向と定義する。上下方向は、マスクが着用者に着用された場合における口から鼻へと向かう方向を上側、鼻から口へと向かう方向を下側と定義する。
マスクは、マスクが使用者に着用された場合における左耳と右耳とにより規定される直線を左右方向と定義する。左右方向は、マスクが着用者に着用された場合における右耳から左耳へと向かう方向を左側、左耳から右耳へと向かう方向を右側と定義する。
【０００６】
マスク本体部は、マスクが着用者に着用された場合において、マスク本体部と着用者の口とを離間させるための離間空間部を構成する。マスク本体部の内部は離間空間部により外気よりも高い湿度を保つことができるため、特に風邪などによるのどの痛みを緩和することが可能となる。また、マスク本体部と着用者の唇が当接しないため、口紅がマスク本体部へ転写されることを抑制することができる。なお、当該構成を有するマスクは立体型マスクと称される。
【０００７】
耳掛け部は、マスク本体部の上側領域から延在する上側延在部と、マスク本体部の下側領域から延在する下側延在部と、マスク本体部に近接して設けられるとともに上側延在部と下側延在部とを連結する第１連結部と、マスク本体部に離間して設けられるとともに上側延在部と下側延在部とを連結する第２連結部と、を有する。さらに、耳掛け部は、上側延在部の内縁部と、下側延在部の内縁部と、第１連結部の内縁部と、第２連結部の内縁部とにより囲まれた空間により形成される耳掛け空間部と、を有する。すなわち耳掛け部は、耳掛け空間部が開口された環状の部材により構成される。
【０００８】
接合部は、第１連結部とマスク本体部とを接合するとともに、上下方向における中央領域に配置される接合部中央領域と、上下方向における下側領域に配置される接合部下側領域と、を有する。なお、接合部はマスク本体部と耳掛け部を上下方向において接合する機能を有する種々の構成を使用することができる。例えば、複数の接合領域を上下方向において連続して配置することにより接合部を構成することができる。また、単一の接合線を上下方向に設けることにより接合部を構成することができる。なお、接合部が上下方向に延在するとは、例えば接合部が上下方向に対して平行に配置される場合や、接合部が上下方向に対し傾斜または湾曲して配置される場合を含む。
【０００９】
さらに、耳掛け部は、マスク本体部の左側に設けられる左側耳掛け部と、マスク本体部の右側に設けられる右側耳掛け部と、を有する。
接合部は、左側耳掛け部とマスク本体部の左側領域とを接合する左側接合部と、右側耳掛け部とマスク本体部の右側領域とを接合する右側接合部と、を有する。
当該構成を有するマスクにあっては、左右方向において、左側接合部の接合部下側領域と右側接合部の接合部下側領域との間の距離は、左側接合部の接合部中央領域と右側接合部の接合部中央領域との間の距離よりも短くなるよう構成される。
【００１０】
本発明に係るマスクによれば、左側接合部の接合部下側領域と右側接合部の接合部下側領域との間の距離が、左側接合部の接合部中央領域と右側接合部の接合部中央領域との間の距離よりも短くなるよう構成されているため、着用者の顎に対するフィット性を向上することができる。このため、顎とマスク本体部との間に隙間が発生することを抑止することが可能となる。
【００１１】
また本発明に係るマスクの一態様として、マスクは、マスクが使用者に着用された場合における顔と後頭部とにより規定される直線を前後方向と定義する。前後方向は、マスクが着用者に着用された場合における後頭部から顔へと向かう方向を前側、顔から後頭部へと向かう方向を後側と定義する。
【００１２】
また本発明に係るマスクの一態様として、接合部下側領域は、上側から下側へ臨んだ場合、後側から前側に向かう方向に延在する傾斜領域を有することができる。
【００１３】
この形態に係るマスクによれば、傾斜領域によって左側接合部の接合部下側領域と右側接合部の接合部下側領域との間の距離を適切に調整することができる。
【００１４】
また本発明に係るマスクの一態様として、下側延在部の内縁における延在方向は下側延在部内縁延在方向を定義する。接合部下側領域と接合部中央領域の境界は傾斜境界点を定義する。傾斜境界点を通過する上下方向と下側延在部内縁延在方向との交点は下側延在部内縁延在交点を定義する。傾斜境界点を通過する上下方向とマスク本体部の外縁との交点はマスク本体部外縁交点を定義する。この態様に係るマスクは、下側延在部内縁延在交点とマスク本体部外縁交点の間の長さに対して、傾斜境界点とマスク本体部外縁交点の間の長さが７０パーセント〜１００パーセントの長さとなるよう構成することができる。
【００１５】
この形態に係るマスクによれば、下側延在部内縁延在交点とマスク本体部外縁交点の間の長さに対して、傾斜境界点とマスク本体部外縁交点の間の長さが７０パーセント〜１００パーセントの長さとなるよう構成することによって、左側接合部の接合部下側領域と右側接合部の接合部下側領域との間の距離を適切に調整することができる。
【００１６】
また本発明に係るマスクの一態様として、傾斜境界点は、下側延在部内縁延在方向上に配置することができる。
【００１７】
また本発明に係るマスクの一態様として、傾斜境界点は、下側延在部内縁延在方向よりも下側に配置することができる。
【００１８】
また本発明に係るマスクの一態様として、接合部は、上下方向における上側領域に配置される接合部上側領域を有することができる。この態様に係るマスクは、左右方向において、左側接合部の接合部上側領域と右側接合部の接合部上側領域との間の距離が、左側接合部の接合部中央領域と右側接合部の接合部中央領域との間の距離よりも短くなるよう構成することができる。
【００１９】
この形態に係るマスクによれば、例えばマスク本体部と耳掛け部の積層領域に対して、接合部をエンボス加工により容易に構成することができる。
特にマスクの製造過程において、マスクの上下方向を機械流れ方向（ＭＤ方向）とした場合に、上側接合部と下側接合部を構成するエンボスラインが一致することとなるため、より一層の製造容易化を図ることができる。
【００２０】
また本発明に係るマスクの一態様として、接合部は、上下方向に延在する第１接合要素と、上下方向に延在する第２接合要素とを有することができる。この態様にあっては、第１接合要素と第２接合要素を左右方向において並列することができる。
【００２１】
この形態に係るマスクによれば、接合部が第１接合要素と第２接合要素を有するため、マスク本体部と耳掛け部の接合強度を向上することができる。
【００２２】
また本発明に係るマスクの一態様として、接合部は、上下方向に延在する単一の接合要素により構成することができる。
【００２３】
この形態に係るマスクによれば、接合部が単一の接合要素により構成されるため、マスクの製造および設計の簡素化を図ることが可能となる。
【００２４】
また本発明に係るマスクの一態様として、マスク本体部は、耳掛け部よりも伸長率が低いシート体により構成することができる。
【００２５】
この形態に係るマスクによれば、着用者がマスクを着用した場合におけるマスク本体部の変形を抑制することができる。
【００２６】
また本発明に係るマスクの一態様として、第１連結部は、着用者がマスクを着用した場合に着用者のほほに当接するほほ当接領域を有することができる。
【００２７】
この態様に係るマスクによれば、マスク着用時においてほほ当接領域の変形が抑制されることとなる。よって、ほほ当接領域を経由したマスクの内気と外気との連通を抑制することができる。
【００２８】
また本発明に係るマスクの一態様として、マスク本体部は、複数のシート体と、当該複数のシート体を接合するシート体接合部とを有することができる。当該構成を有するマスクは、着用者によって、接合部を中心として複数のシート体が展開されることにより離間空間部を形成するよう構成される。
【００２９】
また本発明に係るマスクの一態様として、接合部は、マスク本体部と耳掛け部とを溶着することにより構成される。例えば、マスク本体部と耳掛け部をエンボス加工により溶着することにより、接合部を構成することができる。
【発明の効果】
【００３０】
本発明によれば、マスクのフィット性を向上するための一層合理的な構築技術を提供することが可能となる。
【図面の簡単な説明】
【００３１】
【図１】本発明の第１実施形態に係るマスクの正面図である。
【図２】本発明の第１実施形態に係るマスクの側面図である。
【図３】耳掛け部の説明図である。
【図４】接合部の説明図である。
【図５】左右方向における接合部の説明図である。
【図６】下側接合領域の説明図である。
【図７】本発明の第２実施形態に係るマスクの側面図である。
【図８】本発明の第３実施形態に係るマスクの側面図である。
【図９】本発明の第４実施形態に係るマスクの側面図である。
【図１０】本発明の第５実施形態に係るマスクの側面図である。
【図１１】本発明の第６実施形態に係るマスクの側面図である。
【発明を実施するための形態】
【００３２】
本発明に係る実施形態を図１〜図１１に基づき説明する。図１〜図６は本発明に係る第１実施形態を示す図、図７は本発明に係る第２実施形態を示す図、図８は本発明に係る第３実施形態を示す図、図９は本発明に係る第４実施形態を示す図、図１０は本発明に係る第５実施形態を示す図、図１１は本発明に係る第６実施形態を示す図である。
第２実施形態〜第６実施形態において、第１実施形態と同一または近い構成や機能を奏する部品または構造体は、第１実施形態と同一の部品名称および符号を用いて、その説明を省略する場合がある。
【００３３】
（第１実施形態）
本発明に係る第１実施形態を図１〜図１１に基づき説明する。図１は本発明の第１実施形態に係るマスク１００の正面図、図２は側面図を示す。
図１に示すとおりマスク１００は、着用者の少なくとも鼻および口を覆うマスク本体部１１０と、着用者の耳に掛けられるとともに伸長性を備える耳掛け部１３０とを有する。マスク本体部１１０と耳掛け部１３０とは、第２接合部１２２により接合される。このマスク本体部１１０が本発明に係る「マスク本体部」の一例であり、耳掛け部１３０が本発明に係る「耳掛け部」の一例であり、第２接合部１２２が本発明に係る「接合部」の一例である。
【００３４】
図１に示すとおりマスク１００は、マスク１００が着用者に着用された場合における鼻と口とにより規定される直線を上下方向１００Ｙと定義する。上下方向１００Ｙは、マスク１００が着用者に着用された場合における口から鼻へと向かう方向を上側、鼻から口へと向かう方向を下側と定義する。なお図２に示すとおりマスク１００は曲面を有する形状であり、着用者の顔面の形状や着用状態において上下方向１００Ｙが変動する場合がある。よって、上下方向１００Ｙはマスク１００の設計上における上下方向１００Ｙにより定義することができる。
また図１に示すとおりマスク１００は、マスク１００が着用者に着用された場合における左耳と右耳とにより規定される直線を左右方向１００Ｘと定義する。左右方向１００Ｘは、マスク１００が着用者に着用された場合における右耳から左耳へと向かう方向を左側、左耳から右耳へと向かう方向を右側と定義する。また図２に示すとおりマスク１００は、マスク１００が着用者に着用された場合における顔と後頭部とにより規定される直線を前後方向１００Ｚと定義する。前後方向１００Ｚは、マスクが着用者に着用された場合における後頭部から顔へと向かう方向を前側、顔から後頭部へと向かう方向を後側と定義する。なお、上下方向１００Ｙと、左右方向１００Ｘと、前後方向１００Ｚはそれぞれ直交する関係にある。この上下方向１００Ｙが本発明に係る「上下方向」の一例であり、左右方向１００Ｘが本発明に係る「左右方向」の一例であり、前後方向１００Ｚが本発明に係る「前後方向」の一例である。
【００３５】
（マスク本体部）
図１に示されるマスク本体部１１０は、ウィルスや花粉が着用者へ侵入することを抑制したり、着用者がウィルスを飛散させることを防止するためのフィルター機能を有する。マスク本体部１１０は、内層シート体と、内層シート体の両側に積層されている第１表層シート体および第２表層シート体により構成される積層シート体により形成される。第１表層シート体は、マスク着用時に着用者と反対側に配置されるマスク外表面を形成し、第２表層シート体は、マスク着用時に着用者側に配置されるマスク内表面を形成する。内層シート体は、メルトブロー法により製造されたメルトブロー不織布シートにより形成される。第１表層シート体および第２表層シート体は、スパンボンド法により製造されたスパンボンド不織布シート、ポリプロピレン繊維を含む不織布シート、スパンレース法により製造されたスパンレース不織布シート、エアスルー法により製造されたエアスルー不織布シート等により形成される。内層シート体、第１表層シート体および第２表層シート体それぞれの目付は、５〜５０ｇ／ｍ２の範囲内に設定され、マスク本体部１１０全体の目付は、５０〜１３０ｇ／ｍ２の範囲内に設定される。
なお、マスク本体部１１０の伸長率は、耳掛け部１３０の伸長率よりも低くなるよう構成される。マスク本体部１１０は、着用者の一般的な使用状態においては伸長しない程度の伸長率を有することが好ましい。
【００３６】
図１に示すとおりマスク本体部１１０は、右側本体片１１０Ｒと左側本体片１１０Ｌとにより構成される。図２に示すとおり右側本体片１１０Ｒと左側本体片１１０Ｌは、上下方向１００Ｙに延在する第１接合部１２１により接合される。第１接合部１２１は、右側本体片１１０Ｒと左側本体片１１０Ｌとを溶着することにより形成される。この右側本体片１１０Ｒと左側本体片１１０Ｌが本発明に係る「複数のシート体」の一例であり、第１接合部１２１が本発明に係る「シート体接合部」の一例である。なお、マスク本体部１１０はさらに他のシート状部材を接合することにより構成することも可能である。
マスク本体部１１０の上側領域には、着用者の鼻脇に沿うように変形可能な形状固定部１１３が設けられる。形状固定部１１３は、可撓性を有する金属片や樹脂片により構成される。
【００３７】
なおマスク１００の販売時（着用者による使用初期時）には図２に示すとおり、右側本体片１１０Ｒと左側本体片１１０Ｌとが互いに重ねられる。この状態をマスク本体部１１０が畳まれた状態と称する。図１に示すとおり着用者がマスク１００を使用する場合は、畳まれた状態の右側本体片１１０Ｒと左側本体片１１０Ｌとを第１接合部１２１を中心として展開する。これによって、マスク本体部１１０は立体形状となる。当該立体形状のマスク本体部１１０を着用者に着用した場合には、マスク本体部１１０と着用者の口との間に空間（離間空間部１１４）が構成される。この離間空間部１１４により、マスク本体部１１０の内部は外気よりも高い湿度を保つことができるため、特に風邪などによるのどの痛みを緩和することが可能となる。また、マスク本体部１１０と着用者の唇が当接しないため、口紅がマスク本体部１１０へ転写されることを抑制することができる。なお、当該構成を有するマスク１００は立体型マスクと称される。この離間空間部１１４が本発明に係る「離間空間部」の一例である。
【００３８】
（耳掛け部）
図１に示すとおり耳掛け部１３０は、伸長性を有するとともに着用者の耳に掛けられることにより、マスク本体部１１０を着用者に固定する機能を有する。
耳掛け部１３０は、マスク本体部１１０を形成するシートより伸長性が高いシートにより形成される。耳掛け部１３０を形成するシートは、伸長性繊維と伸長性繊維を混合して形成される不織布シートが用いられる。本実施の形態では、伸長性を有するポリプロピレン繊維と伸長性を有するウレタン繊維を混合して形成されるスパンボンド不織布シートが用いられている。耳掛け部１３０は、前後方向１００Ｚに伸長可能となるよう設計される。
【００３９】
図１に示すとおり耳掛け部１３０は、マスク本体部１１０の右側に設けられる右側耳掛け部１３０Ｒと、マスク本体部の左側に設けられる左側耳掛け部１３０Ｌとにより構成される。この右側耳掛け部１３０Ｒが本発明に係る「右側耳掛け部」の一例であり、左側耳掛け部１３０Ｌが本発明に係る「左側耳掛け部」の一例である。また図１に示すとおり第２接合部１２２は、マスク本体部１１０の右側領域と右側耳掛け部１３０Ｒとを接合する右側第２接合部１２２Ｒと、マスク本体部１１０の左側領域と左側耳掛け部１３０Ｌとを接合する左側第２接合部１２２Ｌとにより構成される。この右側第２接合部１２２Ｒが本発明に係る「右側接合部」の一例であり、左側第２接合部１２２Ｌが本発明に係る「左側接合部」の一例である。説明の便宜上、右側耳掛け部１３０Ｒと左側耳掛け部１３０Ｌに関して共通する構成を「耳掛け部の構成」として説明し、右側第２接合部１２２Ｒと左側第２接合部１２２Ｌに関して共通する構成を「第２接合部の構成」として説明することがある。
【００４０】
図２に示すとおり耳掛け部１３０は、マスク本体部１１０の上側領域から延在する上側延在部１３１と、マスク本体部１１０の下側領域から延在する下側延在部１３２と、マスク本体部１１０に近接して設けられるとともに上側延在部１３１と下側延在部１３２とを連結する第１連結部１３３と、マスク本体部１１０に離間して設けられるとともに上側延在部１３１と下側延在部１３２とを連結する第２連結部１３４とを有する。この上側延在部１３１が本発明に係る「上側延在部」の一例であり、下側延在部１３２が本発明に係る「下側延在部」の一例であり、第１連結部１３３が本発明に係る「第１連結部」の一例であり、第２連結部１３４が本発明に係る「第２連結部」の一例である。
【００４１】
図２に示すとおり、耳掛け部１３０は環状に構成されている。このため、上側延在部１３１は内縁部１３１ａと外縁部１３１ｂとを有し、下側延在部１３２は内縁部１３２ａと外縁部１３２ｂとを有し、第１連結部１３３は内縁部１３３ａと外縁部１３３ｂとを有し、第２連結部１３４は内縁部１３４ａと外縁部１３４ｂとを有する。上側延在部１３１の内縁部１３１ａと、下側延在部１３２の内縁部１３２ａと、第１連結部１３３の内縁部１３３ａと、第２連結部１３４の内縁部１３４ａに囲まれた空間は、マスク着用時に着用者の耳に挿通される耳掛け空間部１３５を形成する。この耳掛け空間部１３５が本発明に係る「耳掛け空間部」の一例である。
【００４２】
（耳当接領域）
図２に示すとおり上側延在部１３１は、マスク１００が着用者に着用された場合において耳の上側領域に当接される耳上側当接領域１３１ｃを有する。また下側延在部１３２は、マスク１００が着用者に着用された場合において耳の後側領域に当接される耳後側当接領域１３２ｃを有する。
なお耳掛け部１３０が掛けられる耳の領域は、曲面により構成される複雑な形状であるため、着用者の耳の上側および耳の後側を明確には特定できない状況を想定することができる。このような状況にあっては、耳上側当接領域１３１ｃは上下方向１００Ｙにおける耳の頂部を含む領域であると定義し、耳後側当接領域１３２ｃは前後方向１００Ｚにおける耳の頂部を含む領域であると定義することができる。当該定義にあっては、第２連結部１３４は耳上側当接領域１３１ｃまたは耳後側当接領域１３２ｃの少なくとも一方、または耳上側当接領域１３１ｃと耳後側当接領域１３２ｃの双方を構成することができる。すなわち、上側延在部１３１、第２連結部１３４および下側延在部１３２は耳当接領域を構成する。
【００４３】
図２に示すとおり耳上側当接領域１３１ｃは、耳後側当接領域１３２ｃよりも前後方向１００Ｚにおける伸長率の低い耳上側低伸長領域１３１ｄを構成する。
当該耳上側低伸長領域１３１ｄは、耳上側当接領域１３１ｃが耳上側長距離領域１３１ｅを有することにより構成される。耳上側長距離領域１３１ｅは、耳上側当接領域１３１ｃの所定点１３１ｐにおける幅の長さを、耳後側当接領域１３２ｃの所定点１３２ｐにおける幅の長さよりも長く形成することにより構成される。
【００４４】
一方、図２に示すとおり耳後側当接領域１３２ｃは、耳上側当接領域１３１ｃよりも前後方向１００Ｚにおける伸長率の高い耳後側高伸長領域１３２ｄを構成する。
当該耳後側高伸長領域１３２ｄは、耳後側当接領域１３２ｃが耳後側短距離領域１３２ｅを有することにより構成される。耳後側短距離領域１３２ｅは、耳後側当接領域１３２ｃの所定点１３２ｐにおける幅の長さを、耳上側当接領域１３１ｃの所定点１３１ｐにおける幅の長さよりも短く形成することにより構成される。なお耳上側長距離領域１３１ｅは、耳後側短距離領域と比して４ｍｍ以上長く構成することが好ましい。
【００４５】
図２に示すとおり下側延在部１３２は、マスク本体部１１０側に位置する下側延在部第１領域１３２１と、第２連結部１３４側に位置する下側延在部第２領域１３２２とを有する。耳後側当接領域１３２ｃは、下側延在部第２領域１３２２に構成される。
図２に示すとおり下側延在部第２領域１３２２は、下側延在部第１領域１３２１よりも前後方向１００Ｚにおける伸長率の高い高伸長領域１３２２ａを構成することができる。高伸長領域１３２２ａにより耳後側当接領域１３２ｃの伸長を促進することが可能となる。なお下側延在部第１領域１３２１は、下側延在部第２領域１３２２よりも前後方向１００Ｚにおける伸長率の低い低伸長領域１３２１ａを構成することができる。
【００４６】
図２に示すとおり下側延在部第２領域１３２２は、下側延在部第２領域１３２２の所定点１３２ｐにおける幅の長さが、下側延在部第１領域１３２１の所定点１３２１ｐにおける幅の長さよりも短く構成された短距離領域１３２２ｂを有することができる。すなわち、下側延在部第２領域１３２２は、上側延在部１３１に対しては耳後側高伸長領域１３２ｄおよび耳後側短距離領域１３２ｅを構成し、下側延在部第１領域１３２１に対しては高伸長領域１３２２ａおよび短距離領域１３２２ｂを構成する。
【００４７】
すなわち、下側延在部第１領域１３２１と下側延在部第２領域１３２２の幅を調整することにより、容易に高伸長領域１３２２ａを構成することができる。なお下側延在部第１領域１３２１は、下側延在部第１領域１３２１の所定点１３２１ｐにおける幅の長さが、下側延在部第２領域１３２２の所定点における幅の長さよりも長く構成された長距離領域１３２１ｂを有することができる。
【００４８】
なお耳掛け部１３０の前後方向１００Ｚにおける伸長率を測定したところ、上側延在部１３１の伸長率は５９パーセント、応力は０．６０３（Ｎ）であった。下側延在部第１領域１３２１の伸長率は１６パーセント、応力は０．１３９（Ｎ）であった。下側延在部第２領域１３２２の伸長率は６２パーセント、応力は０．６６８（Ｎ）であった。また、下側延在部１３２の全体的な伸長率は３７パーセント、応力は０．３００であった。
なお、伸長率の測定にあたっては上側延在部１３１を４５．２ｍｍ、下側延在部７２．６ｍｍと設定し、ＪＩＳ  Ｔ８１５１に規定されている試験用人頭のマネキンに装着することにより行った。また、伸長率に対する応力は株式会社島津製作所のオートグラフ  型式ＡＧ−５ｋＮＩにより測定した。この際、当該測定器の設定としてスピードを１００ｍｍ／分、ストロークはそれぞれの計測箇所の伸長率となるまで引っ張ることにより行った。なお応力は２回のサイクルのうち、２回目の戻りの応力により測定した。
【００４９】
図２に示すとおり、上側延在部１３１の内縁部１３１ａと外縁部１３１ｂは互いに平行な方向に延在する。また、下側延在部１３２の内縁部１３２ａと外縁部１３２ｂは互いに平行な方向に延在する。なお下側延在部１３２の内縁部１３２ａは、下側延在部第１領域１３２１の内縁部、下側延在部第２領域１３２２の内縁部、および下側延在部第１領域１３２１と下側延在部第２領域１３２２の連結領域の内縁部と含むものである。ここで「下側延在部１３２の内縁部１３２ａと外縁部１３２ｂは互いに平行な方向に延在する」とは、「下側延在部第１領域１３２１の内縁部、下側延在部第２領域１３２２の内縁部、下側延在部１３２の外縁部１３２ｂが互いに平行に延在する」ことを示す。
【００５０】
図３に示すとおり、上側延在部１３１の延在方向１３１ｆは上下方向１００Ｙと交差する。また、下側延在部１３２の延在方向１３２ｆは上下方向１００Ｙと交差する。上側から下側へ臨んだ場合において、延在方向１３１ｆと上下方向１００Ｙが交差することにより形成される角度１３１ｇと、延在方向１３２ｆと上下方向１００Ｙが交差することにより形成される角度１３２ｇとを比較した場合、角度１３１ｇの方が角度１３２ｇよりも大きくなるように構成される。これにより上側延在部１３１には上側延在部大角度部１３１ｈが構成される。
なお下側延在部１３２には、上側から下側へ臨んだ場合における下側延在部１３２の延在方向１３２ｆと上下方向１００Ｙとが交差することにより形成される角度１３２ｇが、上側から下側へ臨んだ場合における上側延在部１３１の延在方向１３１ｆと上下方向１００Ｙが交差することにより形成される角度１３１ｇよりも小さく構成された下側延在部小角度部１３２ｈが構成される。
【００５１】
図３に示すとおり上側延在部大角度部１３１ｈにより、上側延在部１３１の延在方向１３１ｆ上に位置する耳上側当接領域１３１ｃを着用者の耳の上側に近接することが可能となる。このため着用者が耳掛け部１３０を引っ張る場合には、下側延在部１３２を上側に移動させるように操作する。すなわち上側延在部大角度部１３１ｈは、下側延在部１３２の上方移動誘導部を構成する。これにより、耳後側当接領域１３２ｃの伸長が促進される。
【００５２】
より具体的には上側延在部１３１に関する上述の角度１３１ｇは６３度であり、下側延在部１３２に関する上述の角度は４０度である。
なおＪＩＳ  Ｔ８１５１に規定されている試験用人頭のマネキンにマスク１００を装着した場合、角度１３１ｇは６０度となり角度１３２ｇは６５度となった。すなわち角度１３２ｇの変位量の方が角度１３１ｇよりもが大きいものである。これは耳に耳掛け部１３０を装着した場合において、耳後側当接領域１３２ｃが耳の後側における上側領域から下側領域に亘り配置された状態で、残りの下側延在部１３２の領域が当該耳の後側の下側領域とマスク本体部１１０とに亘り延在されることによる。なおこのような耳後側当接領域１３２ｃの耳に対する配置形態も、耳後側当接領域１３２ｃを伸長する一因とされる。
【００５３】
（ほほ当接領域）
図２に示すとおり第１連結部１３３は、着用者がマスク１００を着用した場合に着用者のほほに当接するほほ当接領域１３３ｃを構成する。ほほ当接領域１３３ｃが着用者のほほに密着することにより、マスク本体部１１０と耳掛け部１３０との間における通気が抑制される。このほほ当接領域１３３ｃが本発明に係る「ほほ当接領域」の一例である。
【００５４】
図２に示すとおり第１連結部１３３は、着用者が第２連結部１３４を把持して耳掛け部１３０を後側に引っ張った場合に、上側延在部１３１と下側延在部１３２に生ずる上下方向１００Ｙへの移動挙動によって第１連結部１３３（ほほ当接領域１３３ｃ）が変形することを抑制するための変形抑制部１３３ｄを有する。なお着用者が第２連結部１３４を引っ張った場合における耳掛け部１３０の具体的な移動挙動としては、上側延在部１３１は下側に向かうように移動し、下側延在部１３２は上側に向かうように移動する。すなわち、上側延在部１３１と下側延在部１３２とは互いに近接する方向に移動する。
【００５５】
変形抑制部１３３ｄは、第１連結部１３３の内縁部１３３ａの形状を調整することにより構成される。変形抑制部１３３ｄは、より具体的には図３に示す通り、第１連結部１３３の内縁部１３３ａにおける延在方向１３３ｆを上下方向１００Ｙと前後方向１００Ｚの双方に交差する方向へ延在することにより構成される。これにより、上側延在部１３１と下側延在部１３２が互いに近接する方向に移動することにより第１連結部１３３に作用する上下方向１００Ｙの力を分散することができる。このため変形抑制部１３３ｄは、第１連結部１３３の変形を抑制することが可能となる。
図２に示すとおり第１実施形態に係る変形抑制部１３３ｄは、下側から上側へ臨んだ場合の第１連結部１３３の内縁部１３３ａが、前側から後側へと向かう方向に延在することにより構成される。これによって、耳掛け空間部１３５の面積を増加させることができるため、着用者は耳掛け空間部１３５に容易に耳を挿通させることが可能となる。また第１実施形態に係る変形抑制部１３３ｄは直線状に構成される。
【００５６】
第１連結部１３３の内縁部１３３ａは、上述の通り上下方向１００Ｙに対して傾斜する方向へ延在している。すなわち第１連結部１３３の内縁部１３３ａは、着用者が第２連結部１３４を把持して耳掛け部１３０を後側に引っ張った場合に生ずる上側延在部１３１と下側延在部１３２とが互いに近接するような移動動作により定義される、上下方向１００Ｙにおける直線を回避するよう構成される。このため内縁部１３３ａによって第１連結部１３３は、変形抑制部１３３ｄと同時に移動方向回避部１３３ｅを構成する。
図２に示すとおり第２接合部１２２を有する領域は、マスク本体部１１０と耳掛け部１３０の連結領域を構成する。なお、当該連結領域は第２接合部１２２の中央領域１２２２を通過する上下方向１００Ｙにより定義することができる。
本発明に係る発明者は、当該連結領域における上下方向１００Ｙの長さが８０ｍｍ〜１２０ｍｍであり、第１連結部１３３の内縁部１３３ａの延在長さが２０〜５０ｍｍである場合には、着用者がマスク１００を着用したときのほほ当接領域１３３ｃ（第１連結部１３３）における上下方向１００Ｙの変形を抑制することを見出した。
【００５７】
（第２接合部）
図１に示すとおり、マスク本体部１１０と耳掛け部１３０は第２接合部１２２により接合される。第２接合部１２２は、マスク本体部１１０と耳掛け部１３０の積層領域をエンボス加工により溶着することにより構成される。第２接合部１２２は、上下方向１００Ｙに延在する第１接合要素１２２ａと、上下方向１００Ｙに延在する第２接合要素１２２ｂとを有することができる。第１接合要素１２２ａと第２接合要素１２２ｂは左右方向１００Ｘにおいて並列される。この第１接合要素１２２ａが本発明に係る「第１接合要素」の一例であり、第２接合要素１２２ｂが本発明に係る「第２接合要素」の一例である。第２接合部１２２が第１接合要素１２２ａと第２接合要素１２２ｂを有するため、マスク本体部１１０と耳掛け部１３０の接合強度を向上することができる。
第１接合要素１２２ａ（第２接合要素１２２ｂ）は、複数の溶着領域が上下方向１００Ｙに連続することにより構成される。
【００５８】
図４に示すとおり第２接合部１２２は、上側領域１２２１と、下側領域１２２３と、当該上側領域１２２１と下側領域１２２３の間の中央領域１２２２を有する。中央領域１２２２は上下方向１００Ｙに延在する。上側領域１２２１は、下側から上側を臨んだ場合に後側から前側に向かうよう傾斜されて延在する。下側領域は、下側から上側を臨んだ場合に前側から後側に向かうよう傾斜されて延在する。この上側領域１２２１が本発明に係る「接合部上側領域」の一例であり、中央領域１２２２が本発明に係る「接合部中央領域」の一例であり、下側領域１２２３が本発明に係る「接合部下側領域」の一例である。当該構成によって、上側領域１２２１は上側傾斜領域１２２１ａを構成し、下側領域１２２３は下側傾斜領域１２２３ａを構成する。この上側傾斜領域１２２１ａが本発明に係る「接合部上側傾斜領域」の一例であり、下側傾斜領域１２２３ａが本発明に係る「傾斜領域」の一例である。なお、中央領域１２２２は上下方向延在領域１２２２ａを構成する。
【００５９】
図５に示すとおり左右方向１００Ｘにおいて、左側第２接合部１２２Ｌの上側領域１２２１と右側第２接合部１２２Ｒの上側領域１２２１との間の距離は、上側領域距離１１０Ｄ１を定義する。左側第２接合部１２２Ｌの中央領域１２２２と右側第２接合部１２２Ｒの中央領域１２２２との間の距離は、中央領域距離１１０Ｄ２を定義する。左側第２接合部１２２Ｌの下側領域１２２３と右側第２接合部１２２Ｒの下側領域１２２３との間の距離は、下側領域距離１１０Ｄ３を定義する。
上側領域１２２１は、上側傾斜領域１２２１ａを有するため、上側領域距離１１０Ｄ１は中央領域距離１１０Ｄ２よりも短く構成される。また、下側領域１２２３は、下側傾斜領域１２２３ａを有するため、下側領域距離１１０Ｄ３は中央領域距離１１０Ｄ２よりも短く構成される。上下方向１００Ｙに対する上側傾斜領域１２２１ａの角度を設定することにより、上側領域距離１１０Ｄ１の長さを調整することができる。また、上下方向１００Ｙに対する下側傾斜領域１２２３ａの角度を設定することにより、下側領域距離１１０Ｄ３の長さを調整することができる。
【００６０】
下側領域距離１１０Ｄ３が中央領域距離１１０Ｄ２よりも短く構成されているため、着用者がマスク１００を着用した場合において、下側領域１２２３におけるマスク本体部１１０の湾曲（折れ曲がり）の起点を中央方向（第１接合部１２１の方向）へと配置することができる。これによって、着用者の顎に対するマスク本体部１１０のフィット性を向上することができる。このため、顎とマスク本体部との間に隙間が発生することを抑止することが可能となる。また第２接合部１２２が上下方向１００Ｙに直線状に延在する構成と比して、耳掛け部１３０における下側延在部１３２の長さを増加することができるため、当該下側延在部１３２の伸縮力を増加することが可能となる。
【００６１】
また、上側傾斜領域１２２１ａと下側傾斜領域１２２３ａとが構成されていることにより、マスク１００の製造過程において、マスク１００の上下方向１００Ｙを機械流れ方向（ＭＤ方向）とした場合に、上側領域１２２１と下側領域１２２３を構成するエンボスラインが一致することとなるため、より一層の製造容易化を図ることができる。
【００６２】
なお図６に示す通り、耳掛け部１３０の下側延在部１３２における内縁部１３２ａの延在方向は内縁延在方向１３２３を定義する。内縁延在方向１３２３は下側延在部１３２において最も幅の広い領域により定義することができる。よって、マスク１００においては、内縁延在方向１３２３は下側延在部第１領域１３２１の延在方向により定義される。
また、下側領域１２２３と中央領域１２２２の境界は傾斜境界点１２２４を定義する。傾斜境界点１２２４を通過する上下方向１００Ｙと内縁延在方向１３２３との交点は内縁延在交点１３２３ａを定義する。傾斜境界点１２２４を通過する上下方向１００Ｙとマスク本体部１１０の外縁との交点は外縁交点１１１を定義する。この内縁延在方向１３２３が本発明に係る「下側延在部内縁延在方向」の一例であり、傾斜境界点１２２４が本発明に係る「傾斜境界点」の一例であり、内縁延在交点１３２３ａが本発明に係る「下側延在部内縁延在交点」の一例であり、外縁交点１１１が本発明に係る「マスク本体部外縁交点」の一例である。
当該構成にあっては、内縁延在交点１３２３ａと外縁交点１１１の間の長さに対して、傾斜境界点１２２４と外縁交点１１１の間の長さが７０パーセント〜１００パーセントの長さとなるよう構成した場合に、左側接合部の接合部下側領域と右側接合部の接合部下側領域との間の距離を適切に調整することができる。すなわち、着用者の顎に対するフィット性能と、耳掛け部１３０の伸縮性能に関し良好な結果を得ることができる。
【００６３】
なお傾斜境界点１２２４を内縁延在方向１３２３上に配置することができる。この場合は、内縁延在交点１３２３ａと外縁交点１１１の間の長さに対して、傾斜境界点１２２４と外縁交点１１１の間の長さが１００パーセントの長さを有することとなる。
また、傾斜境界点１２２４を内縁延在方向１３２３よりも下側に配置することができる。この場合は、内縁延在交点１３２３ａと外縁交点１１１の間の長さに対して、傾斜境界点１２２４と外縁交点１１１の間の長さが１００パーセント以下の長さを有することとなる。
【００６４】
（マスクの着用動作について）
着用者がマスク１００を着用する場合、着用者はまずマスク本体部１１０により口と鼻を被覆し、その後に耳掛け部１３０を引っ張ることにより耳掛け空間部１３５と耳の位置を調整する。この際、図３に示される角度１３１ｇの方が角度１３２ｇよりも大きくなるように構成されており、耳掛け部１３０は前後方向１００Ｚに伸長しやすいように構成されているため、上側延在部１３１よりも下側延在部１３２の方が伸長しやすい状態となる。一方、図２に示される耳上側当接領域１３１ｃが耳上側低伸長領域１３１ｄ（耳上側長距離領域１３１ｅ）を構成しているため耳上側当接領域１３１ｃの伸長が抑制されて、耳上側当接領域１３１ｃの幅が狭くなることを抑制することができる。このため、耳掛け部１３０の収縮に伴う応力が耳の上側により強くかかることが抑制されるため、着用感を向上することが可能となる。
【００６５】
また耳後側当接領域１３２ｃが耳後側高伸長領域１３２ｄ（耳後側短距離領域１３２ｅ）を構成しているため耳後側当接領域１３２ｃの伸長が促進されて、耳後側当接領域１３２ｃの幅が狭くなる。このため耳掛け部１３０の収縮に伴う応力が耳の上側よりも後側により強くかかるが、耳の後側領域は耳の上側領域よりも長いため、耳掛け部１３０の収縮に伴う圧力が耳の後側領域に分散されることとなる。この結果、マスクの着用感を向上することが可能となる。さらに耳後側当接領域１３２ｃが伸長することにより、耳掛け空間部１３５の領域が拡大するため、着用者による耳掛け部１３０の耳への装着作業が容易化される。
【００６６】
また上側延在部１３１の内縁部１３１ａの延在方向と外縁部１３１ｂの延在方向が平行であるため、上側延在部１３１の伸長率を安定化することができる。よって上側延在部１３１の収縮率を安定化することができるため、マスク１００を交換した場合であっても安定した着用感を得ることが可能となる。
【００６７】
また下側延在部第１領域１３２１の内縁部の延在方向と外縁部の延在方向が平行であるため、下側延在部第１領域１３２１の伸長率を安定化することができる。よって下側延在部第１領域１３２１の収縮率を安定化することができるため、マスク１００を交換した場合であっても安定した着用感を得ることが可能となる。
【００６８】
また下側延在部第２領域１３２２の内縁部の延在方向と外縁部の延在方向が平行であるため、下側延在部第２領域１３２２の伸長率を安定化することができる。よって下側延在部第２領域１３２２の収縮率を安定化することができるため、マスク１００を交換した場合であっても安定した着用感を得ることが可能となる。
【００６９】
また下側延在部第１領域１３２１の内縁部の延在方向と、下側延在部第１領域１３２１の外縁部の延在方向と、下側延在部第２領域１３２２の内縁部の延在方向と、下側延在部第２領域１３２２の外縁部の延在方向が平行であるため、下側延在部第１領域１３２１の伸長率と下側延在部第２領域１３２２の伸長率を安定化することができる。よって下側延在部第１領域１３２１の収縮率と下側延在部第２領域１３２２の収縮率を安定化することができるため、マスクを交換した場合であっても安定した着用感を得ることが可能となる。
【００７０】
また着用者が耳掛け部１３０を引っ張ることにより上側延在部１３１と下側延在部１３２が互いに近接する方向へと移動するが、変形抑制部１３３ｄ（移動方向回避部１３３ｅ）により第１連結部１３３に作用する上下方向１００Ｙの力を分散することができる。よってほほ当接領域１３３ｃの変形が抑制されるため、ほほ当接領域１３３ｃを着用者に密接させることが可能となる。
【００７１】
また、変形抑制部１３３ｄを下側から上側へ臨んだ場合の第１連結部１３３の内縁部１３３ａが、前側から後側へと向かう方向に延在されているため、第１連結部１３３の面積が増加される。よって着用者に対するほほ当接領域１３３ｃの密着性を向上することが可能となる。
【００７２】
（第２実施形態）
次に図７に基づき本発明の第２実施形態に係るマスク２００を説明する。第２実施形態のマスク２００は、第１実施形態のマスク１００と比して第２接合部１２２の構成が異なる。すなわち第２実施形態のマスク１００における第２接合部１２２が第１接合要素１２２ａと第２接合要素１２２ｂを有していたのに対し、第２実施形態のマスク２００における第２接合部１２２は接合要素１２２ｃにより構成されている。接合要素１２２ｃは、複数の接合領域を上下方向１００Ｙに連続状に配置することにより構成される。すなわち、第２接合部１２２は単一の接合要素１２２ｃにより構成される。この接合要素１２２ｃが本発明に係る「単一の接合要素」の一例である。
【００７３】
第２実施形態に係るマスク２００によれば、第２接合部１２２が単一の接合要素１２２ｃにより構成されるため、マスク２００の製造および設計の簡素化を図ることが可能となる。
【００７４】
（第３実施形態）
次に図８に基づき本発明の第３実施形態に係るマスク３００を説明する。第３実施形態のマスク３００は、第１実施形態のマスク１００と比して変形抑制部１３３ｄの構成が異なる。すなわち第１実施形態のマスク１００における第１連結部１３３の内縁部１３３ａが直線状であったのに対し、第２実施形態のマスク３００における第１連結部１３３の内縁部１３３ａは前側方向へ延出する曲線状にて構成されている。
【００７５】
当該構成によって、マスク３００は耳掛け空間部１３５の面積の増加を図ることができるため、着用者は耳掛け空間部に容易に耳を挿通させることが可能となる。
また図８に示すとおりマスク３００は、耳上側当接領域１３１ｃに耳上側低伸長領域１３１ｄ、耳上側長距離領域１３１ｅを有する。また耳後側当接領域１３２ｃに耳後側高伸長領域、耳後側短距離領域１３２ｅを有する。またほほ当接領域１３３ｃに変形抑制部１３３ｄ、移動方向回避部１３３ｅを有する。よってマスク３００は耳上側当接領域１３１ｃ、耳後側当接領域１３２ｃおよびほほ当接領域１３３ｃに関して、マスク１００と同等の機能を奏する。
【００７６】
（第４実施形態）
次に図９に基づき本発明の第４実施形態に係るマスク４００を説明する。第４実施形態のマスク４００は、第１実施形態のマスク１００と比して変形抑制部１３３ｄの構成が異なる。すなわち第１実施形態のマスク１００における第１連結部１３３の内縁部１３３ａが直線状であったのに対し、第４実施形態のマスク４００における第１連結部１３３の内縁部１３３ａは後側方向へ延出する曲線状にて構成されている。
【００７７】
当該構成によって、マスク４００は第１連結部１３３の面積の増加を図ることができるため、着用者に対するほほ当接領域１３３ｃの密着性を向上することができる。
また図９に示すとおりマスク４００は、耳上側当接領域１３１ｃに耳上側低伸長領域１３１ｄ、耳上側長距離領域１３１ｅを有する。また耳後側当接領域１３２ｃに耳後側高伸長領域、耳後側短距離領域１３２ｅを有する。またほほ当接領域１３３ｃに変形抑制部１３３ｄ、移動方向回避部１３３ｅを有する。よってマスク４００は耳上側当接領域１３１ｃ、耳後側当接領域１３２ｃおよびほほ当接領域１３３ｃに関して、マスク１００と同等の機能を奏する。
【００７８】
（第５実施形態）
次に図１０に基づき本発明の第５実施形態に係るマスク５００を説明する。第５実施形態のマスク５００は、第１実施形態のマスク１００と比して変形抑制部１３３ｄの構成が異なる。すなわち第１実施形態のマスク１００における第１連結部１３３の内縁部１３３ａが直線状であったのに対し、第５実施形態のマスク５００における第１連結部１３３の内縁部１３３ａは連続する曲線を有する形状にて構成されている。
【００７９】
当該構成によって、マスク５００は第１連結部１３３の面積や、耳掛け空間部１３５の面積や、デザイン性を総合的に勘案した設計を行うことが可能となる。
また図１０に示すとおりマスク５００は、耳上側当接領域１３１ｃに耳上側低伸長領域１３１ｄ、耳上側長距離領域１３１ｅを有する。また耳後側当接領域１３２ｃに耳後側高伸長領域、耳後側短距離領域１３２ｅを有する。またほほ当接領域１３３ｃに変形抑制部１３３ｄ、移動方向回避部１３３ｅを有する。よってマスク５００は耳上側当接領域１３１ｃ、耳後側当接領域１３２ｃおよびほほ当接領域１３３ｃに関して、マスク１００と同等の機能を奏する。
【００８０】
（第６実施形態）
次に図１１に基づき本発明の第５実施形態に係るマスク６００を説明する。第６実施形態のマスク６００は、第１実施形態のマスク１００と比して変形抑制部１３３ｄの構成が異なる。すなわち第１実施形態のマスク１００における第１連結部１３３の内縁部１３３ａを下側から上側へ臨んだ場合、第１連結部１３３の内縁部１３３ａは前側から後側へと向かう方向に延在される。一方、第５実施形態のマスク６００における第１連結部１３３の内縁部１３３ａを下側から上側へ臨んだ場合、第１連結部１３３の内縁部１３３ａは後側から前側へと向かう方向に延在される。
【００８１】
当該構成によって、マスク６００は耳掛け空間部１３５の面積の増加を図ることができるため、着用者は耳掛け空間部に容易に耳を挿通させることが可能となる。
また図１１に示すとおりマスク６００は、耳上側当接領域１３１ｃに耳上側低伸長領域１３１ｄ、耳上側長距離領域１３１ｅを有する。また耳後側当接領域１３２ｃに耳後側高伸長領域、耳後側短距離領域１３２ｅを有する。またほほ当接領域１３３ｃに変形抑制部１３３ｄ、移動方向回避部１３３ｅを有する。よってマスク６００は耳上側当接領域１３１ｃ、耳後側当接領域１３２ｃおよびほほ当接領域１３３ｃに関して、マスク１００と同等の機能を奏する。
【００８２】
（実施の形態ないし実施例本発明の各構成要素の対応について）
マスク１００、２００、３００、４００、５００、６００は本発明に係る「マスク」の一例である。上下方向１００Ｙは本発明に係る「上下方向」の一例である。左右方向１００Ｘは本発明に係る「左右方向」の一例である。前後方向１００Ｚは本発明に係る「前後方向」の一例である。マスク本体部１１０は本発明に係る「マスク本体部」の一例である。耳掛け部１３０は本発明に係る「耳掛け部」の一例である。第２接合部１２２は本発明に係る「接合部」の一例である。右側本体片１１０Ｒと左側本体片１１０Ｌは本発明に係る「複数のシート体」の一例である。第１接合部１２１は本発明に係る「シート体接合部」の一例である。離間空間部１１４は本発明に係る「離間空間部」の一例である。右側耳掛け部１３０Ｒは本発明に係る「右側耳掛け部」の一例である。左側耳掛け部１３０Ｌは本発明に係る「左側耳掛け部」の一例である。右側第２接合部１２２Ｒは本発明に係る「右側接合部」の一例である。左側第２接合部１２２Ｌは本発明に係る「左側接合部」の一例である。上側延在部１３１は本発明に係る「上側延在部」の一例である。下側延在部１３２は本発明に係る「下側延在部」の一例である。第１連結部１３３は本発明に係る「第１連結部」の一例である。第２連結部１３４は本発明に係る「第２連結部」の一例である。耳掛け空間部１３５は本発明に係る「耳掛け空間部」の一例である。ほほ当接領域１３３ｃは本発明に係る「ほほ当接領域」の一例である。第１接合要素１２２ａは本発明に係る「第１接合要素」の一例である。第２接合要素１２２ｂは本発明に係る「第２接合要素」の一例である。上側領域１２２１は本発明に係る「接合部上側領域」の一例である。中央領域１２２２は本発明に係る「接合部中央領域」の一例である。下側領域１２２３は本発明に係る「接合部下側領域」の一例である。上側傾斜領域１２２１ａは本発明に係る「接合部上側傾斜領域」の一例である。下側傾斜領域１２２３ａは本発明に係る「傾斜領域」の一例である。内縁延在方向１３２３は本発明に係る「下側延在部内縁延在方向」の一例である。傾斜境界点１２２４は本発明に係る「傾斜境界点」の一例である。内縁延在交点１３２３ａは本発明に係る「下側延在部内縁延在交点」の一例である。外縁交点１１１は本発明に係る「マスク本体部外縁交点」の一例である。接合要素１２２ｃは本発明に係る「単一の接合要素」の一例である。
【符号の説明】
【００８３】
１００、２００、３００、４００、５００  マスク
１００Ｘ  左右方向
１００Ｙ  上下方向
１００Ｚ  前後方向
１１０  マスク本体部
１１０Ｒ  右側本体片
１１０Ｌ  左側本体片
１１０Ｄ１  上側領域距離
１１０Ｄ２  中央領域距離
１１０Ｄ３  下側領域距離
１１１  外縁交点（マスク本体部外縁交点）
１１３  形状固定部
１１４  離間空間部
１２１  第１接合部（シート状部材接合部）
１２２  第２接合部（接合部）
１２２ａ  第１接合要素
１２２ｂ  第２接合要素
１２２ｃ  第３接合要素
１２２１  上側領域
１２２１ａ  上側傾斜領域
１２２２  中央領域
１２２２ａ  上下方向延在領域
１２２３  下側領域
１２２３ａ  下側傾斜領域（傾斜領域）
１２２４  傾斜境界点
１２２Ｒ  右側第２接合部
１２２Ｌ  左側第２接合部
１３０  耳掛け部
１３０Ｒ  右側耳掛け部
１３０Ｌ  左側耳掛け部
１３１  上側延在部
１３１ａ  内縁部
１３１ｂ  外縁部
１３１ｃ  耳上側当接領域
１３１ｄ  耳上側低伸長領域
１３１ｅ  耳上側長距離領域（上側延在部長距離領域）
１３１ｆ  延在方向
１３１ｇ  角度
１３１ｈ  上側延在部大角度部
１３１ｐ  所定点
１３２  下側延在部
１３２ａ  内縁部
１３２ｂ  外縁部
１３２ｃ  耳後側当接領域
１３２ｄ  耳後側高伸長領域
１３２ｅ  耳後側短距離領域
１３２ｆ  延在方向
１３２ｇ  角度
１３２ｈ  下側延在部小角度部
１３２ｐ  所定点
１３２１  下側延在部第１領域
１３２１ａ  低伸長領域
１３２１ｂ  長距離領域
１３２１ｐ  所定点
１３２２  下側延在部第２領域
１３２２ａ  高伸長領域
１３２２ｂ  短距離領域
１３２３  内縁延在方向（下側延在部内縁延在方向）
１３２３ａ  内縁延在交点（下側延在部内縁延在交点）
１３３  第１連結部
１３３ａ  内縁部
１３３ｂ  外縁部
１３３ｃ  ほほ当接領域
１３３ｄ  変形抑制部
１３３ｅ  移動方向回避部
１３３ｆ  延在方向
１３４  第２連結部
１３４ａ  内縁部
１３４ｂ  外縁部
１３５  耳掛け空間部
【図１】
2018003189.tif 000003
【図２】
2018003189.tif 000004
【図３】
2018003189.tif 000005
【図４】
2018003189.tif 000006
【図５】
2018003189.tif 000007
【図６】
2018003189.tif 000008
【図７】
2018003189.tif 000009
【図８】
2018003189.tif 000010
【図９】
2018003189.tif 000011
【図１０】
2018003189.tif 000012
【図１１】
2018003189.tif 000013